(57)【要約】【課題】  子供達が天板縁の長手方向に並んで着席し、互いが向き合うケースでも子供達の足が脚や支杆に接触したり、ぶつかることがないようにする。【解決手段】  天板１裏面の両端にそれぞれ単脚２を起倒自在に取り付ける。各単脚２にクランク形の支杆３の一端部３１を回動自在に設ける。天板１の裏面で、しかも各単脚２の折りたたみ時に単脚２と並行する位置に細長板４を固定する。細長板４の両端に第１および第２受部４０、４１を形成する。第１・２受部間４０、４１に通過路４３を形成し、支杆３の他端部３０を通過路４３内に摺動自在に挿入し、単脚２の折りたたみ時には支杆３の他端部３０を第２受部４１で受ける。単脚２の起立時には支杆３の他端部３０を第１受部４０で受けるとともに薄板状で、かつハンドル５０付きのレバー５で付勢して挾持する。【選択図】        図８
2007130054.tif 000002
【特許請求の範囲】
【請求項１】
天板裏面の両端にそれぞれ単脚を起倒自在に取り付け、前記各単脚にクランク形の支杆の一端部を回動自在に設け、また前記天板の裏面で、しかも前記各単脚の折りたたみ時に前記単脚と並行する位置に細長板を固定し、前記細長板の両端に第１および第２受部を形成するとともに前記第１・２受部間に通過路を形成し、前記支杆の他端部を前記通過路内に摺動自在に挿入し、前記単脚の折りたたみ時には前記支杆の他端部を前記第２受部で受け、前記単脚の起立時には前記支杆の前記他端部を前記第１受部で受けるとともに薄板状で、かつハンドル付きのレバーで付勢して挾持することを特徴とする折りたたみ脚付き家具。
【請求項２】
各細長板を天板裏面の長手方向に平行するセンターライン上に配設し、各単脚の下端に細長状の接床バーを固着し、一方の単脚と他方の単脚とを前記各細長板の左右逆方向に並設することを特徴とする請求項１の折りたたみ脚付き家具。
【請求項３】
各単脚を中空パイプからなる上脚部と下脚部とで形成し、前記下脚部を前記上脚部に昇降自在に挿通し、前記上脚部の下方にナットからなるボルト締結部を設け、前記下脚部に複数個の高低調節孔を段階状に設け、前記ボルト締結部を介して前記高低調節孔の所望孔にボルトを貫通し、前記ボルトを前記ナットに螺着し、前記ボルトで前記下脚部を前記上脚部に押圧固定することを特徴とする請求項１の折りたたみ脚付き家具。
【請求項４】
各単脚が水平断面小判形のスチールパイプであることを特徴とする請求項１、２または３の折りたたみ脚付き家具。
【請求項５】
ボルト締結部の等高位置かつ外方からの視認位置に覗き孔を穿ち、各高低調節孔の等高位置かつ外方からの視認位置に前記覗き孔への対応印を付けることを特徴とする請求項４の折りたたみ脚付き家具。
【請求項６】
第２受部の深さを支杆の他端の断面径と略等しく形成し、レバーの一端に凸弧状の排除斜縁およびこれに連なる凸弧状の係止斜縁とを有する山形状の係止片を形成し、前記係止片の後方にハンドルを一体的に形成し、しかも前記ハンドルの端部を前記係止片と同方向に膨出し、さらに前記通過路外に取付けた水平軸に前記係止片の前方を回動自在に設け、またコイルバネにより前記係止片を常時は前記通過路の上方まで突出し、しかも前記コイルバネにより各単脚の起立時には前記係止斜縁を介して前記支杆の他端を前記第１受部側に押し付けるとともにレバーの膨出端部を天板側に押圧し、前記ハンドルの引下げ時には前記係止片全体を前記通過路内から没するように形成することを特徴とする請求項１の折りたたみ脚付き家具。
【発明の詳細な説明】
【技術分野】
【０００１】
本発明は幼稚園、保育所、小・中学校等の子供用施設で用いられるテーブル等、特に天板を有する家具における折りたたみ可能な家具に関する。
【背景技術】
【０００２】
従来から実公昭６１−３２５０７号実用新案公報で示されている家具用折りたたみ脚のロック装置が知られている。これは本願出願人のもので、製造かつ販売に及んだものである。
【０００３】
この従来品は天板裏面の両端に１対のコ字状脚を回動自在に取付け、各「八」の字状の支杆の先端をコ字状脚の中途に回動自在に取付け、前記支杆の頂部を細長板で形成した通過路に摺動自在に置き、前記コ字状脚の起立時には後述する本願の実施の形態における前記細長板の両端に形成した第１受部で前記支杆の頂部を受けるとともに薄板状で、かつハンドル付きのレバーで付勢して挾持し、前記コ字状脚の折りたたみ時には前記支杆の頂部を第２受部で受けるようにしているものである。
【０００４】
【特許文献１】実公昭６１−３２５０７号公報
【発明の開示】
【発明が解決しようとする課題】
【０００５】
従来例のようなテーブルでは、子供達が天板縁の長手方向に並んで着席し、互いに向き合うケースが多い。
【０００６】
このため第１にコ字状のような２本脚で、かつ「八」の字状の支杆を有するタイプでは子供達の足がテーブルの脚や前記支杆に接触し、場合によってはぶつかることがあり得る。
【０００７】
第２に２本脚を単脚にした場合、折りたたみ時に単脚とロック装置とが衝突し、脚を完全に折りたたむことができない。
【０００８】
第３に例えば保育所や幼稚園では現在、２才児から６才児までという広い範囲にわたる子供達の保育をしており、背丈に応じた多種類の家具を具備しなければならず、省スペース化することができない。
【０００９】
第４に脚は水平断面正円のいわゆる丸パイプであってもよいが、単脚での支持力および加工作業の点を考慮すると丸パイプでは実施化が困難である。
【００１０】
第５に脚を高低調節自在に形成した場合、対向する脚同士を等高位置に調節することは、現場における取扱い者にとって極めて厄介である。
【００１１】
第６に既述の従来例はロック装置として極めて優れているが、それ以前のものはいずれもロック装置の構造が脆弱で、大荷重に対して耐久性がなく、かつ複雑で部品数が多く、しかも脚を倒すにあたりロックを解除する場合、大きな力を必要とするとともに操作しずらいという欠点を有していた。
【００１２】
本発明は前記の欠点を解消することを課題とする。
【課題を解決するための手段】
【００１３】
第１に本発明は天板裏面の両端にそれぞれ単脚を起倒自在に取り付け、前記各単脚にクランク形の支杆の一端部を回動自在に設け、また前記天板の裏面で、しかも前記各単脚の折りたたみ時に前記単脚と並行する位置に細長板を固定し、前記細長板の両端に第１および第２受部を形成するとともに前記第１・２受部間に通過路を形成し、前記支杆の他端部を前記通過路内に摺動自在に挿入し、前記単脚の折りたたみ時には前記支杆の他端部を前記第２受部で受け、前記単脚の起立時には前記支杆の前記他端部を前記第１受部で受けるとともに薄板状で、かつハンドル付きのレバーで付勢して挾持することを特徴とするものである。
【００１４】
第２に本発明は第１の発明において、各細長板を天板裏面の長手方向に平行するセンターライン上に配設し、各単脚の下端に細長状の接床バーを固着し、一方の単脚と他方の単脚とを前記各細長板の左右逆方向に並設することを特徴とするものである。
【００１５】
第３に本発明は第１の発明において、各単脚を中空パイプからなる上脚部と下脚部とで形成し、前記下脚部を前記上脚部に昇降自在に挿通し、前記上脚部の下方にナットからなるボルト締結部を設け、前記下脚部に複数個の高低調節孔を段階状に設け、前記ボルト締結部を介して前記高低調節孔の所望孔にボルトを貫通し、前記ボルトを前記ナットに螺着し、前記ボルトで前記下脚部を前記上脚部に押圧固定することを特徴とするものである。
【００１６】
第４に本発明は第１、２または３の発明において、各単脚が水平断面小判形のスチールパイプであることを特徴とするものである。
【００１７】
第５に本発明は第４の発明において、ボルト締結部の等高位置かつ外方からの視認位置に覗き孔を穿ち、各高低調節孔の等高位置かつ外方からの視認位置に前記覗き孔への対応印を付けることを特徴とするものである。
【００１８】
第６に本発明は第１の発明において、第２受部の深さを支杆の他端の断面径と略等しく形成し、レバーの一端に凸弧状の排除斜縁およびこれに連なる凸弧状の係止斜縁とを有する山形状の係止片を形成し、前記係止片の後方にハンドルを一体的に形成し、しかも前記ハンドルの端部を前記係止片と同方向に膨出し、さらに前記通過路外に取付けた水平軸に前記係止片の前方を回動自在に設け、またコイルバネにより前記係止片を常時は前記通過路の上方まで突出し、しかも前記コイルバネにより各単脚の起立時には前記係止斜縁を介して前記支杆の他端を前記第１受部側に押し付けるとともにレバーの膨出端部を天板側に押圧し、前記ハンドルの引下げ時には前記係止片全体を前記通過路内から没するように形成することを特徴とするものである。
【発明の効果】
【００１９】
第１の本発明によれば、子供達が天板縁の長手方向に並んで着席し、互いが向き合うケースでも子供達の足が例えばテーブルの脚や支杆に接触したり、ぶつかることがない。
【００２０】
第２の本発明によれば、第１の本発明の効果に加え、単脚にしても、折りたたみ時に単脚とロック措置とが衝突することがなく、脚を完全に折りたたむことができ、しかも起立時での安定性を良好にすることができる。
【００２１】
第３の本発明によれば、第１の本発明の効果に加え、子供達の背丈にかかわらず１種類の家具で足り、省スペース化することができ、子供用施設では経済的である。
【００２２】
第４の本発明によれば、第１、第２または第３の本発明の効果に加え、支持力が大きく、加工作業もしやすく容易かつ迅速に製造することができる。
【００２３】
第５の本発明によれば、第４の本発明の効果に加えて、現場における取扱い者が対向する脚同士を極めて容易に等高位置に調節することができる。
【００２４】
第６の本発明によれば、第１の本発明の効果に加えて、ロック装置の構造が堅牢で、大荷重に対して耐久性があり、かつ部品数が少なくて足り、しかも脚を倒すにあたりロックを解除する場合、大きな力を必要とせず、容易かつ確実に操作することができる。
【発明を実施するための最良の形態】
【００２５】
テーブルの天板１の裏面かつ両端に単脚２、２を起倒自在に取り付ける。具体的には図８〜１０で示すように各単脚２を中空の金属パイプ、より具体的にはスチールパイプからなる上脚部２０と下脚部２１とで形成する。上・下脚部２０、２１はそれぞれ水平断面小判形にすることが好ましい。小判形にすると内・外側面が平滑面２０ａ、２１ａとなり、正円パイプより幅広にすることができ、堅牢かつ後述するように他部品を取付けやすく、しかも角部がなく凸弧面２０ｂ、２１ｂに連続するため安全面で有効である。
【００２６】
また各下脚部２１を各上脚部２０に昇降自在に挿通し、各上脚部２０の下方にボルト遊挿孔２７を穿ち、このボルト遊挿孔２７に連通するとともにナットからなるボルト締結部２２を溶着する。下脚部２１に複数個、例えば５個の高低調節孔２３、２３、２３・・・を段階状に穿つ。ボルト締結部２２の等高位置かつ外方からの視認位置に覗き孔２５を穿ち、各高低調節孔２３の等高位置かつ外方からの視認位置に覗き孔２５への対応印２６を付ける。
【００２７】
天板１の裏面に取付けた持ち上げ蝶番７、７にスチール製の中空角パイプ２９を溶着し、この中空角パイプ２９に上脚部２０の上端を溶着することにより、天板１の裏面の両端に単脚２、２を起倒自在に取り付ける。
【００２８】
一方の単脚２の上脚部２０端は図２で示すように天板１裏面の長手方向に平行するセンターライン（仮想線Ｌで示す）より左右いずれかにずれた位置に前記溶着をし、他方の単脚２の上脚部２０を前記一方の単脚２とは左右逆にずれた位置に前記溶着をする。つまり両単脚２、２は折りたたみ時に前記センターラインＬに位置する後述のロック装置８に衝突せず、しかもバランス良く左右にずらすものである。
【００２９】
図１０で示すように各下脚部２１の下端にフランジ２１ｃを一体的に設け、各下脚部２１を細長状の接床バー６に穿設した貫通孔６０に貫通した後にこのフランジ２１ｃを接床バー６に固着する。
【００３０】
天板１裏面で、しかも単脚２、２の折りたたみ時に単脚２、２と並行する位置、具体的には図２で示す前記センターラインＬ上に金属製の細長板４、４を固定する。なお特許請求の範囲における請求項１では細長板４、４をセンターライン上に固定することに限定するものではなく、例えば単脚２、２をセンターラインＬ上に配設し、細長板４、４をセンターラインＬの左右にずらすなど、要は各単脚２の折りたたみ時に各単脚２と細長板４、４を含むロック装置８、８とがぶつからなければよいものである。
【００３１】
図４〜７で示すように各細長板４の両端に第１および第２の受部４０、４１を形成するとともに第１および第２の受部４０、４１間にクランク状に形成した支杆３の他端部３０が摺動可能な通過路４３を形成し、また第１および第２受部４０、４１の深さを支杆３の他端部３０の断面径と略等しく形成する。
【００３２】
さらに各単脚２の起立時には支杆３の他端部３０を第１受部４０で係止させるとともに薄板状の金属片からなるハンドル５０付きのレバー５で付勢して挾持する。ハンドル５０にはプラスチックカバー５０ａを被着する。
【００３３】
具体的にはレバー５の一端に凸弧状の排除斜縁５１およびこれに連なる凸弧状の係止斜縁５２とを有する山形状の係止片５３を形成し、係止片５３の後方にハンドル５０を一体的に形成し、しかもハンドル５０の端部５６を係止片５３と同方向に膨出し、さらに通過路４３外に取付けた水平軸５４に係止片５３の前方を回動自在に設け、コイルバネ５５により係止片５３を常時は通過路４３の上方まで突出し、しかもコイルバネ５５により各単脚２の起立時には係止斜縁５２を介して支杆３の他端３０を第１受部４０側に押し付けるとともにレバー５の膨出端部５６を天板１に押圧し、ハンドル５０の引下げ時には係止片５３全体を通過路４３から没するように形成する。なお、図４中、符号５５ａ、５５ｂは水平軸５４に巻付けたコイルバネ５５の一端および他端であり、これにより常時は係止片５３を通過路４内に付勢して突出させるものであることは云うまでもなく、また符号４２は他端３０の当たり止めであり、プラスチック製である。
【００３４】
また上脚部２０の上方に溶着した正円パイプ２０ｃにクランク形の支杆３の一端部３０ａを回動自在に挿嵌する。
【００３５】
次にこの実施の形態を説明すれば、まず各上脚部２０に下脚部２１を挿通し、下脚部２１を所望の高さ位置に昇降する。この際、対応印２６、２６、２６・・・を見ながら行ない、所望位置の対応印２６を覗き孔２５に合致させる。
【００３６】
ここに覗き孔２５と対応印２６はボルト締結部２２に対し、９０度ずれているので、非常に視認しやすく、各単脚２の長さを確実に合致させることができる。
【００３７】
続いてボルト２４、具体的には剣先ボルトを図９で示すように同高位置のボルト締結部２２、ボルト遊挿孔２７、高低調節孔２３の順に挿通し、ボルト２４の先端２４ａを下端部２１の内面に接触させる。このときボルト２４軸のうち頭部２４ｂ近傍には雄ねじ２４ｃを切ってあるのでボルト２４を螺動すれば、ナットであるボルト締結部２２に螺着し、しかも緊締する。
【００３８】
この結果、ボルト２４の先端２４ａが下脚部２１を上脚部２０に押し付けることになり、下脚部２１は上脚部２０に圧接固定され、所望の長さの各単脚２を得ることができる。
【００３９】
なお各単脚２の長さを変更したい場合には、ボルト２４を緩め、下脚部２１を所望の位置に昇降し、所望の位置でボルト２４を再び緊締すればよい。
【００４０】
次に各単脚２の伏倒方法および作用を説明すれば、まず図１で示す折りたたまれている単脚２を握持し、矢印方向に回動する。したがって図４で示す支杆３の他端部３０は通過路４３内を矢印方向へ摺動する。
【００４１】
続いて摺動した他端部３０は図５で示すように通過路４３内に突出している係止片５３の排除斜縁５１を押し倒して行き、係止片５３を通過路４３内から排除して行く。
【００４２】
つまり係止片５３はコイルバネ５５の弾性圧に抗して水平軸５４を中心に図５における時計方向に回動され、通過路４３から没する。
【００４３】
次に支杆３の他端部３０が係止片５３を通過すると収縮状態のコイルバネ５５が伸長しはじめ、係止片５３は水平軸５４を中心に反時計方向に自動的に回動し、図６、７で示すように係止片５３は再び通過路４３内に突出し、この結果、他端部３０はその後周面を第１受部４０で係止され、その前周面一部を係止斜縁５２で係止されるとともにコイルバネ５５により第１受部４０側に押し付けられ、各単脚２は図１左側および図８に示すように起立するものである。
【００４４】
次に各単脚２を折りたたむには図６、７で示すハンドル５０に指を掛け、レバー５を時計方向に回動させる。ここに係止片５３は図７鎖線で示すようにコイルバネ５５の弾性に抗して時計方向に回動し、通過路４３から没する。
【００４５】
そこで各単脚２を図１０で示す矢印方向に回動すれば、支杆３の他端部３０は通過路４３内を摺動し、第２受部４１で係止される。また各単脚２は図２で示すようにロック装置８を避けて位置するように構成されているので細長板４等にぶつかることがなく並置され、さらに各上端部２０が溶着されている中空角パイプ２９は図１０で示すように天板１に対して持ち上げ蝶番７、７により取り付けられているので、各単脚２は何の支障もなく、スムーズに伏倒する。
【００４６】
なお他端部３０の摺動後にハンドル５０を離せば係止片５３はバネ圧により図７鎖線状態から実線状態に直ちに戻るものである。
【図面の簡単な説明】
【００４７】
【図１】本発明の実施形態の全体を示す斜視図である。
【図２】同上における脚を折りたたんだ状態を示す一部切欠き底面図である。
【図３】同上の一部切欠き側面図である。
【図４】同上における脚折りたたみ時のロック装置の動作説明図である。
【図５】同上のロック装置における途中状態の動作説明図である。
【図６】同上における脚起立時のロック装置の動作説明図である。
【図７】同上のロック装置の断面図である。
【図８】同上の要部を示す部分拡大斜視図である。
【図９】同上の水平端面図である。
【図１０】同状の垂直断面図である。
【符号の説明】
【００４８】
１  天板
２  単脚
３  支杆
４  細長板
５  レバー
６  接床バー
２０  上脚部
２１  下脚部
２２  ボルト締結部
２３  高低調節孔
２４  ボルト
２５  覗き孔
２６  対応印
３０  支杆の他端部
３１  支杆の一端部
４０  第１受部
４１  第２受部
４３  通過路
５０  ハンドル
５１  排除斜縁
５２  係止斜縁
５３  係止片
５４  水平軸
５５  コイルバネ
５６  膨出端部
【図１】
2007130054.tif 000003
【図２】
2007130054.tif 000004
【図３】
2007130054.tif 000005
【図４】
2007130054.tif 000006
【図５】
2007130054.tif 000007
【図６】
2007130054.tif 000008
【図７】
2007130054.tif 000009
【図８】
2007130054.tif 000010
【図９】
2007130054.tif 000011
【図１０】
2007130054.tif 000012